(57)【要約】【課題】空気と液体との接触により、空気中の汚染物質を効率よく処理する空気清浄機を提供する。【解決手段】空気と処理液とを接触させることにより、空気中の汚染物質をその処理液で処理して減少させる複数の気液接触手段と、空気を取り込み気液接触手段へ導入する送気手段および吸気手段の少なくとも一つとを備え、複数設置された気液接触手段の各々は、所望のｐＨの処理液を有することを特徴とする空気清浄機である。所望のｐＨの処理液を有する複数の気液接触手段を備えることにより、空気中の複数種類の汚染物質を効率よく処理できる。【選択図】        図１
2005013789.tif 000002
【特許請求の範囲】
【請求項１】
空気と処理液とを接触させることにより、前記空気中の汚染物質をその処理液で処理して減少させる複数の気液接触手段と、前記空気を取り込み前記気液接触手段へ導入する送気手段および吸気手段の少なくとも一つとを備え、複数設置された前記気液接触手段の各々は、所望のｐＨの前記処理液を有することを特徴とする空気清浄機。
【請求項２】
前記処理液として、酸性、中性およびアルカリ性から選ばれた全て若しくは任意の２種類を用いる請求項１に記載の空気清浄機。
【請求項３】
複数設置された前記気液接触手段は、前記空気清浄機内に導入された前記空気の前記空気清浄機内の通過経路に対し、直列的に配置された請求項１または２に記載の空気清浄機。
【請求項４】
複数設置された前記気液接触手段は、前記空気清浄機内に導入された前記空気の前記空気清浄機内の通過経路に対し、並列的に配置された請求項１または２に記載の空気清浄機。
【請求項５】
前記気液接触手段は、送気手段により前記空気清浄機内へ導入された空気を前記処理液内に散気し、前記処理液と前記空気とを接触させ、前記空気中の汚染物質を処理するものである請求項１ないし４のいずれか１項に記載の空気清浄機。
【請求項６】
前記気液接触手段は、含浸部材に含浸された処理液と、送気手段または吸気手段により前記空気清浄機内へ導入された空気とを、前記空気が前記含浸部材を通過することにより接触させ、前記空気中の汚染物質を処理するものである請求項１ないし４のいずれか１項に記載の空気清浄機。
【請求項７】
前記気液接触手段は、流動する前記処理液と、送気手段または吸気手段により前記空気清浄機内へ導入された空気とを、前記空気が流動する前記処理液を通過することにより接触させ、前記空気中の汚染物質を処理するものである請求項１ないし４のいずれか１項に記載の空気清浄機。
【請求項８】
前記気液接触手段は、含浸部材内を流動する処理液と、送気手段または吸気手段により前記空気清浄機内へ導入された空気とを、前記空気が前記含浸部材を通過することにより接触させ、前記空気中の汚染物質を処理するものである請求項１ないし４のいずれか１項に記載の空気清浄機。
【発明の詳細な説明】
【０００１】
【発明が属する技術分野】
本発明は、空気中に含まれるガスや塵埃などの汚染物質を処理するため、液体を使用する空気清浄機に関する。
【０００２】
【従来の技術】
空気中の複数種類のガスや煙、塵、埃などの汚染物質を処理するための空気清浄機において、内部に処理液を有するタイプのものがある。このタイプにおいては、空気を取り込み内部の処理液と気液接触を利用して汚染空気を処理する。この処理方法では、汚染物質を含む空気と処理液としての水とが接触することにより、空気内の汚染物質が水に溶解して処理される。このためごみ、塵、タバコの煙等を処理したり、脱臭剤を使用しなくとも脱臭したりできる。
【０００３】
特許第３３４９３５９号において、効率よく酸性ガスとアルカリ性ガスを除去するため、酸性水でアルカリ性ガスを、アルカリ性水で酸性ガスを除去する空気清浄機が開示されている。
【０００４】
【発明が解決しようとする課題】
しかし従来のように水のみを用いて、除塵、脱臭を行うものでは、塵やごみ等については、除塵効果が期待できるが、脱臭は、水溶性成分以外の処理については、あまり期待できなかった。汚染空気中に含まれる処理対象となる汚染物質は、種類によって酸性の性質を有するもの、アルカリ性の性質を有するものがあり、これらの汚染物質を中性の水に接触、通過させたとき、必ずしも十分に水に処理されない。また汚染空気中には、通常複数種類の汚染物質が含まれており、これらすべての汚染物質を処理するのは難しい。
【０００５】
また特許第３３４９３５９号における酸性水とアルカリ性水を使用する空気清浄機では、酸性のガスまたはアルカリ性のガスを処理する場合、中性の水を使用する場合に比べ効率はよいが、ｐＨ値の制御ができないため、汚染物質を除去するのに最適なｐＨ値とずれていた場合、効率よく汚染物質を除去できるとはいえない。また汚染空気が通過する経路は、アルカリ性水と酸性水を直列に配置した経路となっており、圧損が大きく、風量が少なくなり効率が悪くなる。さらにこの発明では、中性ガスの処理に適しているとはいえない。
【０００６】
そこで本発明では、液体を利用し、空気と液体との気液接触により、汚染空気を清浄化する空気清浄機で、臭気成分についても処理効率のよい空気清浄機を提供することである。
【０００７】
【課題を解決するための手段及び発明の効果】
そこで本発明は、空気と処理液とを接触させることにより、空気中の汚染物質をその処理液で処理して減少させる複数の気液接触手段と、前記空気を取り込み前記気液接触手段へ導入する送気手段および吸気手段の少なくとも一つとを備え、複数設置された前記気液接触手段の各々は、所望のｐＨの前記処理液を有することを特徴とする。
【０００８】
気液接触手段は、複数設置され、各々の処理液のｐＨは、汚染物質を処理するために適切なｐＨに調整されており、送気手段や吸気手段によって空気清浄機内に取り込まれた空気は、複数のｐＨの処理液と接することとなり、空気中に複数種類の汚染物質が存在した場合でも、効率よく処理される。したがって例えば、酸性の処理液を含む気液接触手段とアルカリ性の処理液を含む気液接触手段とにより、アルカリ性物質も酸性物質も効率よく処理することができる。特に汚染物質を処理するために最適なｐＨに処理液を設定することで、高効率で汚染物質を除去することができる。
【０００９】
処理液としては、酸性、中性およびアルカリ性から選ばれた全て若しくは任意の２種類を用いる。この方法によれば、酸性領域とアルカリ性領域のみならず、中性領域も含むすべてを網羅することができ、酸性ガスとアルカリ性ガスに加え、中性ガスも効率よく処理することができる。
【００１０】
本発明の空気清浄機内に複数設置された気液接触手段は、具体的な態様において、空気清浄機内に導入された空気の空気清浄機内の通過経路に対し、直列的に配置される。それぞれの気液接触手段が異なるｐＨの処理液を有するため、汚染された空気を、一度空気清浄機内に取り込むことによって、異なるｐＨの処理液を通過することになり効率よく処理できる。
【００１１】
本発明の空気清浄機内に複数設置された気液接触手段は、空気清浄機内に導入された空気の空気清浄機内の通過経路に対し、並列的に配置される。並列的に気液接触手段を配置すると、送気手段または吸気手段による風量を確保した状態で、空気を処理することができる。つまり並列経路で処理することで、圧損を低くし、大量のガスを処理することができる。さらに一定時間空気清浄機を稼働し、処理された空気が空気清浄機外へ排出後、再度空気清浄機内に取り込まれる循環運転を行うことにより、異なるｐＨの処理液に接触することができる。
【００１２】
気液接触手段は、送気手段により空気清浄機内へ導入された空気を処理液内に散気し、処理液と空気とを接触させ、空気中の汚染物質を処理するものとすることができる。送気手段によって空気清浄機内に導入された空気は、散気され、処理液と接触することにより、ガス、塵埃などの汚染物質が処理液によって、空気中から処理できる。
【００１３】
また気液接触手段は、含浸部材に含浸された処理液と、送気手段または吸気手段により空気清浄機内へ導入された空気とを、空気が含浸部材を通過することにより接触させ、空気中の汚染物質を処理するものとすることができる。含浸部材内の処理液と空気清浄機内に導入された空気との接触によって、空気内の汚染物質を処理できる。
【００１４】
気液接触手段は、流動する処理液と、送気手段または吸気手段により空気清浄機内へ導入された空気とを、空気が流動する処理液を通過することにより接触させ、空気中の汚染物質を処理するものとすることができる。流動する処理液と、空気清浄機内に導入された汚染された空気とを接触させることにより、空気中の汚染物質を処理できる。
【００１５】
気液接触手段は、含浸部材内を流動する処理液と、送気手段または吸気手段により空気清浄機内へ導入された空気とを、空気が含浸部材を通過することにより接触させ、前記空気中の汚染物質を処理するものとすることができる。含浸部材内を落下する処理液と汚染された空気とが接触することにより、空気中の汚染物質を処理できる。
【００１６】
【発明の実施の形態】
以下、図面に示す実施例を参照しつつ、本発明の実施形態を説明する。図１は、散気部を備えた散気式空気清浄機１の概念図を示す。本実施例は、水槽８，９が直列的に配置された形態である。図では水槽８，９が分離した形態となっているが、空気清浄機本体１を２つに分離した形態にする必要はない。空気清浄機１の内部には、２つの水槽８，９があり、水槽８，９には空気に含まれる汚染物質を処理するために、所望のｐＨに設定された処理液１０，１１を入れる。第一水槽８へ空気２を送るために、送気手段としてファン３が設置されており、ファン３が送気管４によって散気部としての第一エアプレート６と接続されている。散気部は空気を放出し気泡を発生するためのものである。第一水槽８と第二水槽９は、送気管５によって接続されており、送気管５には、散気部としての第二エアプレート７が接続している。第二水槽９には、処理された空気１３が排出されるための空気排出口１２がある。
【００１７】
送気手段としてのファン３によって、汚染空気２は、送気管４より第一エアプレート６に送られる。第一エアプレート６は、多数の孔１４が空いており、処理液１０内に設置され、ファン３から送られた空気２は、第一エアプレート６の孔１４から処理液１０内に放出されることにより散気（または曝気）される。第一水槽８と第二水槽９は送気管５で接合されており、第一水槽８の上部まで達した吸入空気は、送気管５によって第二水槽９の第二エアプレート７へ移動する。第二エアプレート７の孔１４から排出された吸入空気は、第二処理液１１と接触する。第二水槽９にて処理された空気１３は、空気排出口１２より空気清浄機１外へ排出される。
【００１８】
エアプレートから放出された空気と処理液との接触により、空気中の汚染物質である塵、ごみ、臭気等が処理液に吸収、溶解され、汚染空気から除去される。このときの処理液と処理対象の汚染物質との反応を効率よく進めるように、処理液のｐＨを選択し、水槽内へ入れておく。例えば、酢酸ガスを除去する場合は、ｐＨを９．０付近に設定すると非常に効率よく水に溶解する。
【００１９】
第一水槽８と第二水槽９には、それぞれ異なるｐＨの処理液１０，１１を入れておく。空気清浄機１内に導入され、まず第一水槽８の第一エアプレート６から放出された吸入空気の汚染物質は、第一水槽８の処理液１０によって汚染空気中から除去される。ここで効率よく処理されるのは、第一水槽８の処理液１０のｐＨで反応しやすい物質である。例えば、第一水槽８の処理液１０が酸性である場合、アルカリ性の物質が処理されやすい。
【００２０】
第二処理液１１は、第一処理液１０と異なるｐＨであるものを使用する。例えば第一処理液１０が酸性である場合、第二処理液１１をアルカリ性にすれば、第一処理液１０を通過した際、処理されなかった酸性物質が、第二処理液１１を通過する際には、効率よく処理されることになる。
【００２１】
第一処理液１０と第二処理液１１とは、酸性、アルカリ性とする組み合わせに限られない。たとえば、第一処理液１０のｐＨを７、第二処理液１１のｐＨを９としてもよい。処理する汚染物質にあわせて、選択すればよい。以上は２種類の処理液を直列的に配置した例であるが、３種類以上を直列的に配列することもできる。
【００２２】
散気部は、空気を排出できる形態であればよく、必ずしもエアプレートでなくてもよい。空気を排出できるものであれば例えば球状や円筒状の形状とすることもできる。また多数の孔のある形態に限られない。また散気部を備えずに、送気管の先端から直接処理液中に空気を排出する形態としてもよい。
【００２３】
図２に散気式による空気清浄機２０で、水槽８，９が並列的に配置された形態の実施例を示す。むろんこれは概念図であり、空気清浄機本体２０を２つに分離した形態にする必要はない。第一水槽８と第二水槽９とは、並列的な配置となっており、それぞれの水槽に最適なｐＨに設定された処理液を入れる。第一水槽８は送気管２１，２２によって、第二水槽９は送気管２１，２３によって、空気２を吸入するファン３と接続されている。送気管２２の先端には、第一エアプレート６が、送気管２３の先端には、第二エアプレート７が、接続されている。また第一水槽８と第二水槽９は、処理された清浄空気１３が排出される空気排出口１２，１５を有する。
【００２４】
送気管２１は、送気管２２および送気管２３と接続されており、ファン３により導入された空気２は、送気管２１から送気管２２を通って第一水槽８へ、または送気管２１から送気管２３を通って第二水槽９へ送られる。直列式と同様に、第一水槽８と第二水槽９には、それぞれ異なるｐＨの処理液１０，１１を入れておく。エアプレート６，７から放出された吸入空気中の汚染物質は、処理液１０，１１によって処理される。
【００２５】
第一水槽８で処理された吸入空気は、第一空気排出口１５から空気清浄機２０外へ排出される。同様に、第二水槽９で処理された吸入空気は、第二空気排出口１２より排出される。例えば第一水槽８に送られ第一水槽８で処理されなかった汚染物質は、そのまま空気清浄機２０外へ排出されることになるが、その後再びファン３によって空気清浄機２０内へ取り込まれ、その際に第二水槽９へ送られると処理される。したがって一定の時間、本空気清浄機２０を稼働すれば、空気は第一水槽８にも第二水槽９も通過し異なるｐＨの処理液で処理されることになる。以上は、２種類の処理液を並列的に配置した例であるが、３種類以上の処理液を並列的に配置することもできる。
【００２６】
図３に複数の含浸部材としての水含浸フィルターを直列的に設置した空気清浄機３０の概念図を示す。空気清浄機３０内には、水含浸フィルター３４，３５，３６が設置されている。水含浸フィルター３４，３５，３６は、所望のｐＨの処理液を含むものである。含浸部材には、ウレタンのようなスポンジ状のものや、布や綿、シリカゲルなどが挙げられる。通気性のあるものであれば特に限定しない。空気排出口３２側には、吸気手段としてのファン３が設置されており、ファン３の回転によって空気が空気導入口３１より空気清浄機３０内に吸入される。この吸入空気は、空気清浄機内に設置された水含浸フィルター３４，３５，３６を通過し、ファン３によって空気清浄機３０外へ空気排出口３２から排出される。なおファンは、送気手段として空気導入口３１側へ設置してもよい。
【００２７】
処理対象の汚染物質が効率よく処理されるｐＨの処理液を含む水含浸フィルター３４，３５，３６を、空気清浄機３０内に設置する。複数の水含浸フィルター３４，３５，３６は、それぞれ異なるｐＨを有する。ファン３によって空気清浄機３０内に導入された空気２は、すべての水含浸フィルター３４，３５，３６を通過していく。それぞれ異なるｐＨを有するため、一度空気清浄機３０内に取り込まれた空気は、それぞれのフィルターで異なる種類の汚染物質が効率よく除去される。
【００２８】
図４に複数の含浸部材としての水含浸フィルターを並列的に設置した空気清浄機４０を示す。空気清浄機４０の本体内には、水含浸フィルター３４，３５，３６が設置されている。それぞれのフィルターは、所望のｐＨの処理液を含む。これにより複数種類の汚染物質を効率よく処理することができる。
【００２９】
ファン３によって空気導入口３１より空気清浄機４０本体内に導入された空気は、いずれかのフィルター３４，３５，３６を通過していく。それぞれ異なるｐＨを有するため、それぞれのフィルターで効率よく処理される汚染物質の種類が異なる。いずれかのフィルターを通過した吸入空気は、ファン３によって空気清浄機４０外へ、空気排出口３２より排出される。その後再び空気清浄機４０内に取り込まれると、一回目で処理されなかった汚染物質も別のフィルターを通過すれば処理されることになる。並列式の場合、直列式に比べファン３による空気吸入の風量が減少しにくく、吸入が容易に行われる。したがってファン３による風量を確保した状態で、循環運転を行い、複数種類の汚染物質を処理することができる。
【００３０】
図５に水膜・噴霧式で複数の放水部を直列的に配置した空気清浄機５０の概念図を示す。この空気清浄機５０は、第一水槽５１と第一放水部５７、第二水槽５２と第二放水部５８とを含み、第一水槽５１と第一放水部５７とは、循環パイプ５５により、第二水槽５２と第二放水部５８とは、循環パイプ５６により接続されている。循環パイプ５５，５６間には、循環ポンプ５３，５４が設置されている。第一水槽５１内に、第一処理液５９を、第二水槽５２内に、第二処理液６０を有する。空気清浄機５０内には、吸気手段として空気排出口３２側にファン３が備えられており、ファンの回転によって、空気導入口３１より空気２が導入される。なおファン３は、送気手段とし、空気導入口３１側へ備え付けてもよい。
【００３１】
第一循環ポンプ５３によって第一水槽５１内の第一処理液５９は、本体上部の第一放水部５７まで汲み上げられ、第一放水部５７より第一水槽５１内へ放水される。第一放水部５７から第一水槽５１へ放水された第一処理液５９は、再び第一循環ポンプ５３によって、第一放水部５７へと循環する。第二処理液６０も同様に、第二水槽５２から第二循環ポンプ５４によって、第二放水部５８へ汲み上げられ、第二放水部５８から放水される。
【００３２】
前述と同様に、処理液による処理対象の汚染物質の処理を効率よく進めるように、処理液のｐＨを選択し、第一水槽５１内、第二水槽５２内へ入れておく。これによって複数種類の汚染物質を効率よく処理することができる。
【００３３】
ファン３によって空気清浄機５０内へ導入された空気２は、第一放水部５７から水槽５１へ放水され落下中の第一処理液５９内を通過することにより、第一処理液５９との接触をする。このとき、空気中の汚染物質は、第一処理液５９によって処理され、続いて第二放水部５８から第二水槽５２へ放水され落下中の第二処理液６０を通過し、第一処理液５９で処理されなかった汚染物質が処理される。こうして汚染物質が処理されて清浄空気１３となり、ファン３を通過して空気清浄機５０外へ排出される。
【００３４】
処理液は、放水部から水膜を形成して水槽へ流動する形態でもよいし、放水部から噴霧され霧状となり水槽へ流動する形態でもよい。また処理液を空気清浄機内の上部から下部へ落下させるのではなく、横断的に放水する形態にしたり、下部から上部へ向けて流動する形態にしたりしてもよい。
【００３５】
図６に水膜・噴霧式で複数の放水部を並列的に配置した空気清浄機７０の概念図を示す。第一放水部５７、第二放水部５８が吸入空気の通過経路に対して、並列的に配置されている。本実施例の場合、ファン３によって空気導入口３１，３７から空気清浄機７０内に導入された空気２は、第一放水部５７または、第二放水部５８のどちらかの下を通過する。このとき放水部５７，５８から放水され落下中の処理液５９，６０と空気が接触し、空気中の汚染物質は、処理液５９，６０に取り込まれる。こうして処理された空気１３は、ファン３によって空気排出口３２，３８より、空気清浄機７０外へ排出される。なお前述と同様に、ファン３は空気導入口３１，３７側へ設置してもよい。
【００３６】
本実施例も前述の並列的に配置した実施例と同様に、吸入された空気は、第一処理液５９かまたは第二処理液６０のどちらかの処理液と接触して、空気清浄機外へ排出される。並列的に配置した本実施例の場合、ファンによる風量を確保した状態で、空気清浄機を稼働することができる。
【００３７】
前述の実施例と同様に処理液は、放水部から水膜を形成して水槽へ落下する形態でもよいし、放水部から噴霧され霧状となり水槽へ落下する形態でもよい。また処理液を空気清浄機内の上部から下部へ落下させるのではなく、横断的に放水する形態にしたり、下部から上部へ向けて放水する形態にしたりしてもよい。
【００３８】
図７に含浸部材・水膜式で含浸部材としての水含浸フィルターを直列的に配置した実施例を示す。図は、３つの水含浸フィルター８１，８２，８３を設置した例である。フィルターの数は、３つの場合に限定されない。水浸含フィルター８１，８２，８３は、処理液がフィルター内において流れ落ちるようになっている。
【００３９】
第一水含浸フィルター８１には、第一循環ポンプ８４が循環パイプ８７を介して接続されており、第一水含浸フィルター８１の上部から下部へと流れ落ちた処理液は、第一循環ポンプ８４によって、第一水含浸フィルター８１上部まで汲み上げられ、そこから第一水含浸フィルター８１内へ放水される。処理液は第一水含浸フィルター８１内を下部まで落下する。第二水含浸フィルター８２は、第二循環ポンプ８５と循環パイプ８８を介して、第三水含浸フィルター８３は、第三循環ポンプ８６と循環パイプ８９を介して接続されており、同様に処理液が移動する。
【００４０】
空気清浄機８０内には、空気排出口３２に設置された、吸気手段であるファン３によって空気が導入され、空気清浄機８０内に設置された水含浸フィルター８１，８２，８３を通過してファン３によって、空気排出口３２から空気清浄機８０外へ排出される。または、ファン３を送気手段として、空気導入口３１側へ設置してもよい。
【００４１】
導入された空気２が第一水含浸フィルター８１、第二水含浸フィルター８２、第三水含浸フィルター８３と通過すると、水含浸フィルター８１，８２，８３内を流れ落ちる処理液と接触し、汚染物質が処理される。前述と同様に汚染物質の処理が効率よく進められるように、処理液のｐＨを選択し、水含浸フィルター８１，８２，８３内へ入れておく。したがって本実施例では、３種類のｐＨの処理液を使用する。これにより、複数の汚染物質を効率よく処理することができる。
【００４２】
図８に含浸部材・水膜式で含浸部材としての水含浸フィルターを並列的に配列した実施例を示す。空気清浄機９０内には、３つの水含浸フィルター８１，８２，８３が並列に配置されている。ファン３によって空気清浄機９０内に取り込まれた空気２は、３つの水含浸フィルター８１，８２，８３のうちいずれかのフィルターを通過する。それぞれのフィルターは、所望のｐＨの処理液を有し、空気２がどのフィルターを通過したかによって効率よく処理される物質の種類が異なる。このように含浸部材を並列的に配置すれば、ファン３による空気吸入の風量が直列式に比べ減少しにくく、吸入が容易に行われ、複数種類の汚染物質を効率よく処理できる。
【００４３】
気液接触手段の処理液のｐＨを変化させるｐＨ制御手段として、異なるｐＨの溶液を有する複数の供給手段と、溶液を前記気液接触手段へ供給し、および気液接触手段の前記処理液を排水する制御装置とを含むものとすることもできる。これにより異なるｐＨの溶液を制御装置により、気液接触手段へ送ることができる。この異なるｐＨの溶液の気液接触手段への供給割合を制御装置によって変化させることにより、気液接触手段の処理液のｐＨを所望の値へ変化させることができる。
【００４４】
特にｐＨを変化させるｐＨ制御手段として、酸性水を貯蔵する酸性水貯蔵部と、アルカリ性水を貯蔵するアルカリ水貯蔵部と、酸性水貯蔵部の酸性水とアルカリ性水貯蔵部のアルカリ性水とを気液接触手段へ供給し、および気液接触手段の処理液を排水する制御装置とを含むものとすることもできる。さらに酸性水貯蔵部とアルカリ水貯蔵部とに加え、中性水を貯蔵する中性水貯蔵部も含むものでもよい。中性水貯蔵部を含むことにより、気液接触手段の処理液のｐＨの変化を容易にできる。
【００４５】
図９に貯蔵部を含み、散気部を備えた散気式空気清浄機１００の概念図を示す。本実施例は、水槽８，９が直列的に配置された形態である。それぞれの水槽８，９には、制御装置１０４，１１４を介して、酸性水貯蔵部１０１，１１１、アルカリ性水貯蔵部１０２，１１２、中性水貯蔵部１０３，１１３が設置されている。中性水貯蔵部１０３，１１３は、省略してもよい。他の点は、前述の実施例と同様である。
【００４６】
第一制御装置１０４は、排水口１０５から処理液を排出し、第一水槽８内の処理液のｐＨを所望のｐＨとするために、第一酸性水貯蔵部１０１から酸性水を、第一アルカリ性水貯蔵部１０２からアルカリ性水を、第一中性水貯蔵部１０３から中性水を、第一水槽８内に導入することができる。また同様に第二制御装置１１４は、排水口１１５から処理液を排出し、第二酸性水貯蔵部１１１から酸性水を、第二アルカリ性水貯蔵部１１２からアルカリ性水を、第二中性水貯蔵部１１３から中性水を、第二水槽９内に導入することができる。これらによって、第一水槽内の処理液と第二水槽内の処理液とを汚染物質を除去するために適したｐＨにすることができる。
【００４７】
また水を電気分解することにより酸性水とアルカリ性水とを生成する電解槽と、電解槽で生成された酸性水とアルカリ性水とを気液接触手段へ供給し、および気液接触手段の処理液を排水する制御装置とを含むものとすることもできる。供給手段として、酸性水とアルカリ性水とを生成する電解槽を制御装置を介して処理液のある気液接触手段へ接続し、気液接触手段へこれらを給水することで処理液のｐＨを変化させることができる。制御装置の働きにより、水槽内の処理液のｐＨを変化させることができる。
【００４８】
図１０に散気部を備え、水槽８，９が並列的に配置され、それぞれの水槽に、制御装置を介して、電解槽１２１，１３１を設置した形態の空気清浄機１２０を示す。他の点は、前述の実施例と同様である。
【００４９】
第一電解槽１２１は、内部に水を貯蔵し、この水を電気分解する。第一電解槽１２１内には、２つの電極１２２，１２３が設置してあり、この電極１２２，１２３に通電することにより、水の電気分解を行う。水の電気分解を行うと、それぞれの電極付近に、酸性水、アルカリ性水が生成される。第一電解槽１２１は、第一制御装置１０４とつながっている。
【００５０】
第一制御装置１０４は、第一電解槽１２１の溶液を第一水槽８へ導入することができる。この酸性水、アルカリ性水のどちらかまたは両方を第一制御装置１０４にて空気清浄機内の第一水槽８に送り込むことによって、第一水槽８内の処理液１０のｐＨを変化させることができる。また第一制御装置１０４には、処理液の第一排水口１０５が設置されており、不必要な汚染された処理液１０は、第一制御装置１０４により、第一排水口１０５から排水される。
【００５１】
第二水槽９にも同様に、第二制御装置１１４を介して、第二電解槽１３１が接続されている。第二電解槽１３１には、電極１３２，１３３があり、同様に、酸性水、アルカリ性水を生成し、第二制御装置１１４の働きにより、第二水槽９へ導入される。不要になった処理液１１は、第二排水口１１５より排水される。
【００５２】
電解槽１２１，１３１を制御装置１０４，１１４を介して水槽８，９に接続し、制御装置１０４，１１４が、電解槽１２１，１３１で生成された酸性水やアルカリ性水を水槽８，９に導入することにより、水槽８，９内の処理液１０，１１のｐＨを所望のものとすることができる。
【００５３】
水膜・噴霧式や含浸部材・水膜式の空気清浄機５０，７０，８０，９０においても、同様に、貯蔵部や電解槽を設置し、処理液のｐＨを所望のものに変化させることができる。
【００５４】
本発明は、空気清浄機内に所望のｐＨを有する複数種類の処理液を入れ、それらと汚染空気とを接触させることにより、汚染物質を効率よく処理することができる。処理液と空気との接触方法は、前述の形態に限られない。
【００５５】
タバコの煙、ペット臭、汚物臭など処理する空気中の汚染物質によって、処理液のｐＨを選択すれば処理効果を大きくできる。従来、水を用いた空気清浄機では、汚染空気中の十分に吸収処理できなかった成分まで、本発明の空気清浄機によれば、複数のｐＨをもつ処理液を使用するため、効率よく処理することが可能となる。したがって短時間で汚染空気から汚染物質を処理し、清浄空気とできる。
【図面の簡単な説明】
【図１】散気式による直列的配置の実施例。
【図２】散気式による並列的配置の実施例。
【図３】含浸部材式による直列的配置の実施例。
【図４】含浸部材式による並列的配置の実施例。
【図５】水膜・噴霧式による直列的配置の実施例。
【図６】水膜・噴霧式による並列的配置の実施例。
【図７】含浸部材・水膜式による直列的配置の実施例。
【図８】含浸部材・水膜式による並列的配置の実施例。
【図９】貯蔵部を設置した散気式による直列的配置の実施例。
【図１０】電解槽を設置した散気式による並列的配置の実施例。
【符号の説明】
１，２０，３０，４０，５０，７０，８０，９０，１００，１２０  空気清浄機
３  ファン
６，７  エアプレート
８，９  水槽
３４，３５，３６  水含浸フィルター
５７，５８  放水部
８１，８２，８３  水含浸フィルター
【図１】
2005013789.tif 000003
【図２】
2005013789.tif 000004
【図３】
2005013789.tif 000005
【図４】
2005013789.tif 000006
【図５】
2005013789.tif 000007
【図６】
2005013789.tif 000008
【図７】
2005013789.tif 000009
【図８】
2005013789.tif 000010
【図９】
2005013789.tif 000011
【図１０】
2005013789.tif 000012